(57)【特許請求の範囲】
【請求項１】
鋳造工場内部に敷設された軌道（２）を移動自在に架設された天井クレーン（１）において、該天井クレーン（１）の昇降機構（６）を備えた可動本体（３）に、少なくとも１基のバグフィルター型の集塵装置（４）を設け、前記集塵装置（４）の吸引ダクト（５）が、蛇腹状の集塵フード（７）を備え、前記集塵装置（４）の吸引ダクト（５）は、その上端（５ａ）が集塵装置（４）の固定ダクト部（４ａ）に固定され、その下端（５ｂ）が前記クレーンフック（６ａ）の金具に固定された支持体（１０）に固定されて前記集塵フード（７）に連通し、且つ、前記昇降機構（６）の昇降作動に連動して自動的に伸縮する蛇腹構造に構成され、前記集塵フード（７）は操作手段（９）を備え、該操作手段（９）が、前記集塵フード（７）の上部に設置された電動モーター（９ａ）と、蛇腹状の集塵フード（７）の下端（７ａ）に固定された操作ワイヤーとから構成され、前記操作ワイヤーは、その一端側が前記電動モーター（９ａ）のドラムに巻回され、複数のガイド環を通して、蛇腹に沿って伸び、その他端側が前記集塵フード（７）の下端（７ａ）に固定されており、前記ドラムの回転で前記操作ワイヤーを巻き上げ、巻戻しして前記下端（７ａ）を昇降させるように構成されている天井クレーン用集塵装置。
【発明の詳細な説明】
【０００１】
【産業上の利用分野】
本発明は、煤煙、粉塵発生の著しい鋳造工場の内部における空気の清浄を行うための天井クレーン用集塵装置に関する。
【０００２】
【従来の技術】
最近、作業環境改善のための種々の提案がなされており、特に、煤煙、粉塵発生の著しい鋳造工場の作業環境の改善が問題となっている。
これまでの鋳造工場内部の空気の清浄化を行う方法としては、鋳造工場の外部に集塵機を敷設し、ここから工場内部にダクトを適宜本数導入、敷設することでことで、工場内部の各所の粉塵、煤煙を吸引除去するという考え方が採られていた。
【０００３】
【発明が解決しようとする課題】
鋳造工場のように、広い範囲の鋳込み現場の各所で発生する煤煙、粉塵は、その発生箇所が定まっていることで、予めダクトの敷設位置を適正な場所に敷設すれば済むものであり、上述した集塵システムは、工場内部の空気清浄化を果たす上で優れた効果を上げてきた。
【０００４】
しかし、こうしたダクト配管に基づく集塵システムが完備してくると、これまでに鋳造工場の煤煙、粉塵発生の発生源として注目されていなかった取鍋が問題とされるようになってきた。
即ち、電気炉、キューポラ等、溶融炉から注湯された取鍋は、天井クレーンに吊り下げられて、各鋳込み現場へ搬送されることになり、場合によっては工場内を端から端まで搬送されることあり、この際、取鍋には蓋はなく、ここから煤煙、粉塵が天井クレーンの移動につれて、そのまま工場内の全域に放出されることになるのである。
【０００５】
特に、取鍋は、天井クレーンで吊り下げられて高い位置で、且つ、工場建屋の中央空間の位置を移動するが、こうした場所にはダクトが延設されていず、また、中空に延設することも不可能である。  従って、天井クレーンで搬送中の取鍋から放出される煤煙、粉塵はこれを有効に除去出来ずにいたのである。
【０００６】
本発明は、こうした現状に鑑み、天井クレーンで取鍋を搬送する鋳造工場の空気清浄化を促進させ、一層の作業環境の改善を図ることが出来るようにすることを目的とする。
【０００７】
【課題を解決するための手段】
本発明にかかる天井クレーン用集塵装置は、上記目的を達成する為に、鋳造工場内部に敷設された軌道（２）を移動自在に架設された天井クレーン（１）において、該天井クレーン（１）の昇降機構（６）を備えた可動本体（３）に、少なくとも１基のバグフィルター型の集塵装置（４）を設け、前記集塵装置（４）の吸引ダクト（５）が、蛇腹状の集塵フード（７）を備え、前記集塵装置（４）の吸引ダクト（５）は、その上端（５ａ）が集塵装置（４）の固定ダクト部（４ａ）に固定され、その下端（５ｂ）が前記クレーンフック（６ａ）の金具に固定された支持体（１０）に固定されて前記集塵フード（７）に連通し、且つ、前記昇降機構（６）の昇降作動に連動して自動的に伸縮する蛇腹構造に構成され、前記集塵フード（７）は操作手段（９）を備え、該操作手段（９）が、前記集塵フード（７）の上部に設置された電動モーター（９ａ）と、蛇腹状の集塵フード（７）の下端（７ａ）に固定された操作ワイヤーとから構成され、前記操作ワイヤーは、その一端側が前記電動モーター（９ａ）のドラムに巻回され、複数のガイド環を通して、蛇腹に沿って伸び、その他端側が前記集塵フード（７）の下端（７ａ）に固定されており、前記ドラムの回転で前記操作ワイヤーを巻き上げ、巻戻しして前記下端（７ａ）を昇降させるように構成されている、という手段を講じたものである。
【０００８】
本発明において、前記集塵装置４の吸引ダクト５が、クレーンフック６ａの近傍に位置する集塵フード７を備えているのが好ましい。
【０００９】
本発明において、前記集塵装置４の吸引ダクト５は、その上端が集塵装置４の固定ダクト部４ａに固定され、その下端５が前記クレーンフック６ａの金具に固定された支持体１０に固定され、且つ、前記昇降機構６の昇降作動に連動して自動的に伸縮する蛇腹構造に構成されているのが好ましい。
【００１０】
本発明において、前記吸引ダクト５の集塵フード７は、その上端７ａが前記クレーンフック６ａの金具に固定された支持体１０に固定され、且つ、前記クレーンフック６に吊り下げられた取鍋８の口の近傍に達する伸縮自在の蛇腹構造に構成されているのが好ましい。
【００１１】
本発明において、前記集塵フード７が、その下端７ａを前記クレーンフック６の近傍位置と前記取鍋８の口の近傍位置とに変位させる操作手段９を備えているのが好ましい。
【００１２】
本発明において、前記操作手段９が、前記集塵フード７の上部に設置された電動モーター９ａと、蛇腹状の集塵フード７の下端７ａに固定された操作ワイヤーとから構成されているのが好ましい。
【００１３】
【発明の実施の態様】
本発明に言う鋳造工場は、鋳鉄工場、鋳鋼、各種の金属を鋳込む工場を意味するもので、当該工場内に敷設された天井クレーンによって取鍋を吊り下げ、搬送するようにされた工場の全てを対象としている。
【００１４】
本発明によれば、少なくとも１基の集塵装置４を天井クレーン１の可動本体３に設けることで、この天井クレーン１で吊り下げて搬送する取鍋８、即ち、煤煙、粉塵の発生源の近傍位置でこれを吸引して除去することができるのである。
これによって、従来の既存のダクト配管システムでは、場合によっては工場内の端から端まで中空を搬送する吊り下げ取鍋８からの煤煙、粉塵を、搬送中に効率良く吸引、除去できるのである。
【００１５】
そして、バグフィルター型の集塵装置は他の電気集塵機等に比べて比較的軽量で、比較的長期間の間隔での定期的なフィルターの交換で管理、維持できるので、こうした天井クレーンに設けてもコスト的にも問題が少ない。
【００１６】
また、本発明において、前記集塵装置４の吸引ダクト５が、クレーンフック６ａの近傍に位置する集塵フード７を備えている場合には、煤煙、粉塵の発生源である取鍋８の口から直接に吸引、除去できるのであり、その吸引、除去効率は更に向上できる。
【００１７】
更に、本発明において、前記集塵装置４の吸引ダクト５は、その上端５ａが集塵装置４の固定ダクト部４ａに固定され、その下端５ｂが前記クレーンフック６ａの金具に固定された支持体１０に固定され、且つ、前記昇降機構６の昇降作動に連動して自動的に伸縮する蛇腹構造に構成されている場合には、取鍋８の昇降にかかわらず煤煙、粉塵を自動的に吸引、除去し続けることができるのである。
【００１８】
また、本発明において、前記吸引ダクト５の集塵フード７は、その上端７ａが前記クレーンフック６ａの金具に固定された支持体１０に固定され、且つ、前記クレーンフック６に吊り下げられた取鍋８の口の近傍に達する伸縮自在の蛇腹構造に構成されている場合には、煤煙、粉塵を取鍋８の口から確実に吸引、除去することが出来るのは勿論のこと、取鍋８の大きさ、クレーンフック６から取鍋８の口までの距離の変化に対応して蛇腹を伸縮させて調節することができる。
【００１９】
更に、本発明において、前記集塵フード７が、その下端７ａを前記クレーンフック６の近傍位置と前記取鍋８の口の近傍位置とに変位させる操作手段９を備えている場合には、鋳込みに際しては、この蛇腹を畳んで上方に上げ、注湯の邪魔にならないように、また、鋳込みの視界の妨げにならないように出来る。
【００２０】
また、本発明において、前記操作手段９が、前記集塵フード７の上部に設置された電動モーター９ａと、蛇腹状の集塵フード７の下端７ａに固定された操作ワイヤー９ｂとから構成されている場合には、上述した蛇腹の伸縮を、遠隔操作でもって電気的に操作できて、楽に行い得る。
【００２１】
【実施例】
本発明の天井クレーン用集塵装置の好適実施例について以下図面に基づいて詳述する。
図１乃至図４に示すように、本発明の天井クレーン用集塵装置は、鋳造工場内部に、その建屋の長手方向に沿って敷設された軌道２を移動自在に架設され天井クレーン１の昇降機構６を備えた可動本体３に、２基のバグフィルター型の集塵装置４を設けて構成している。
【００２２】
前記集塵装置４の二本の吸引ダクト５は、クレーンフック６ａの近傍に位置する一つの集塵フード７を備えており、前記各吸引ダクト５は、その上端５ａが集塵装置４の固定ダクト部４ａに夫々固定され、その下端５ｂが前記クレーンフック６ａの金具に固定された支持体１０に夫々固定され、前記集塵フード７に連通するようにされており、且つ、前記昇降機構６の昇降作動に連動して自動的に伸縮する蛇腹構造に構成されている。
【００２３】
そして、前記吸引ダクト５の集塵フード７は、その上端７ａが前記クレーンフック６ａの金具に固定された前記支持体１０に固定され、且つ、前記クレーンフック６に吊り下げられた取鍋８の口の近傍に達する伸縮自在の蛇腹構造に構成されている。  また、この集塵フード７は、その下端７ａを前記クレーンフック６の近傍位置と前記取鍋８の口の近傍位置とに変位させる操作手段９を備えている。
【００２４】
この操作手段９は、図４にも示すように、前記集塵フード７の上部に設置された電動モーター９ａと、蛇腹状の集塵フード７の下端７ａに固定された操作ワイヤー（図外）とから構成されており、この電動モーター９ａの接続されたコントローラーのスイッチで遠隔操作できる。  前記操作ワイヤー（図外）は、一端側が電動モーター９ａのドラムに巻回され、蛇腹（複数のガイド環を通して）に沿って伸びて、その下端７ａに他端側が固定されているのであり、ドラムの回転でワイヤーを巻き上げ、巻戻しして前記下端７ａを昇降させるように構成されている。
【００２５】
図１において、左側に示す取鍋８は、説明の便宜上、下降させたときの状態を示すものであり、可動本体３から吊り下げられた状態の右側の取鍋８と併設されているという意味ではない。  また、左右に図示の取鍋８の集塵フード７の図示は、上方に折り畳まれた状態（実線）と下方に延ばされた状態を示す（仮想線）。
【００２６】
図５は、取鍋８に対して溶融炉からの注湯が完了し、天井クレーン１のクレーンフック６が掛けられるときの状態を示す。  この時には、上記集塵フード７の下端７ａは上方に折り畳上げられている。  この後、図６に示すように、フック掛けが終了すると、前記集塵フード７の下端７ａは下降させ、取鍋８の口の近傍に近接する。
【００２７】
図７は、取鍋８を天井クレーン１で搬送中の状態を示す。  また、図８は、ノロ取り等、取鍋８を僅かに傾斜（３０度程度）させる場合を示し、このような場合には、集塵フード７の下端７ａは下降させたままで良い。
また、図９は、鋳型に対する注湯時の状態を示し、こうした注湯の場合には、敷設のダクト、フード１１が邪魔になるので、上記集塵フード７の下端７ａは上方に折り畳まれている。  他方、同じ注湯でも、図１０に示すように、溶融炉への湯戻し等では、障害物のない限り、前記集塵フード７の下端７ａは下降させたままで良い。
【００２８】
【発明の効果】
本発明によれば、鋳造向上における取鍋の搬送に伴う煤煙、粉塵の発生、放散を、この取鍋の近辺において吸引、除去することができて、既存の敷設吸引ダクトで到底吸引、除去し得なかった工場の中空での煤煙、粉塵の発生、放散を効率良く吸引、除去できて、工場内部の空気清浄化を一層、促進できるという優れた効果を奏する。  そして、こうした集塵装置をバグフィルター型の集塵装置とすることで、コスト低減、運転管理も行い易い状態で実施できるのである。
【００２９】
そして、集塵装置に吸引ダクトを備え、これに集塵フードを連結し、この集塵フードを取鍋の口に臨ませる場合には、取鍋からの煤煙、粉塵の発生を直接に吸引除去できる利点がある。
また、上記吸引ダクトを伸縮自在の蛇腹状とすることで、取鍋の搬送中は勿論のこと、取鍋の昇降中も、或いは取鍋の多きさにも適応して、常に、吸引、除去作用が行い得る。
更に、集塵フードを蛇腹状とする場合には、搬送中等においては、煤煙、粉塵を取鍋の口から直接に吸引させることが出来ながら、鋳型への注湯時、或いはフック掛け時には、この集塵フードを上方に折り畳んで、注湯を行い易くすることが出来る。
【００３０】
本発明のその他の具体的な効果は、上述した発明の実施の態様の項及び実施例の項において詳述した通りである。
【図面の簡単な説明】
【図１】本発明にかかる天井クレーン用集塵装置の全体の正面図である。
【図２】本発明にかかる天井クレーン用集塵装置の全体の平面図である。
【図３】本発明にかかる天井クレーン用集塵装置の要部の側面図である。
【図４】本発明にかかる天井クレーン用集塵装置の集塵フードの平面図である。
【図５】本発明にかかる天井クレーン用集塵装置の一作用を示す要部の側面図である。
【図６】本発明にかかる天井クレーン用集塵装置の一作用を示す要部の側面図である。
【図７】本発明にかかる天井クレーン用集塵装置の一作用を示す要部の側面図である。
【図８】本発明にかかる天井クレーン用集塵装置の一作用を示す要部の側面図である。
【図９】本発明にかかる天井クレーン用集塵装置の一作用を示す要部の側面図である。
【図１０】本発明にかかる天井クレーン用集塵装置の一作用を示す要部の側面図である。
【符号の説明】
１  天井クレーン
２  軌道
３  可動本体
４  集塵装置
４ａ  固定ダクト部
５  吸引ダクト
５ａ  吸引ダクトの上端
５ｂ  吸引ダクトの上端
６  昇降機構
６ａ  クレーンフック
７  集塵フード
７ａ  集塵フードの上端
８  取鍋
９  操作手段
９ａ  電動モーター
１０  支持体
【図１】
0004678562.tif 000002
【図２】
0004678562.tif 000003
【図３】
0004678562.tif 000004
【図４】
0004678562.tif 000005
【図５】
0004678562.tif 000006
【図６】
0004678562.tif 000007
【図７】
0004678562.tif 000008
【図８】
0004678562.tif 000009
【図９】
0004678562.tif 000010
【図１０】
0004678562.tif 000011